(57)【要約】【課題】成形のための金型や複雑な板金加工の必要がなく、低いコストと短い時間で製作できる簡易防水型筐体を提供する。【解決手段】簡易防水型筐体１は、簡単な板の折り曲げとスポット溶接で製作され、左右に分割された第１の側板２１、第２の側板２２と底板２４にて構成された収納部２０、およびヒンジにより開閉可能な蓋部１０を備え、蓋部の側縁部１２は十分な高さを持たせて合わせ部１３を密着させることで上方からの収納部２０内部への浸水を防ぎ、スポット溶接で接合された第１の側板２１と第２の側板２２の両側の突き合わせ部２３の内側に構成された第１の浸水防止板３１、第２の浸水防止板３２により排水溝が形成され、突き合わせ部２３を経由した排水溝内への浸水、および側壁と底板２３との接合部からの浸水は底板２３に設けられた第１の水抜き穴３４と第２の水抜き穴より外部に排出される。【選択図】図１
2007012989.tif 000002
【特許請求の範囲】
【請求項１】
側壁を形成する側板間の突き合わせ部分からの浸水による内部機器への影響を防止する構造を有する簡易防水型筐体であって、
該筐体は、コ形の２枚の前記側板が接合されて形成された側壁と該側壁に周囲が接合された底板とから構成される収納部および該収納部を覆う開閉可能な蓋部を有し、
前記蓋部は天板と該天板に連続していて閉鎖時に前記側壁の外面に対向する側縁部とを有し、
２枚の前記側板の突き合わせ部の内側には、両端部がそれぞれ２枚の前記側板に接合され中央に排水溝が形成された浸水防止板が前記突き合わせ部を囲んで設けられ、
前記底板の前記排水溝に対向する部分には水抜き穴が設けられている、簡易防水型筐体。
【請求項２】
２枚の前記側板はスポット溶接により接合されている、請求項１に記載の簡易防水型筐体。
【請求項３】
２枚の前記側板と前記底板もスポット溶接により接合されている、請求項２に記載の簡易防水型筐体。
【請求項４】
前記浸水防止板は、側縁から左右への張り出し部を有するコ形の形状をなし、前記張り出し部が前記側板にスポット溶接される、請求項１から請求項３のいずれか１項に記載の簡易防水型筐体。
【請求項５】
前記内部機器は電子機器を有する通信機器である、請求項１から請求項４のいずれか１項に記載の簡易防水型筐体。
【請求項６】
前記内部機器は前記筐体から取り外し可能である、請求項１から請求項５のいずれか１項に記載の簡易防水型筐体。
【発明の詳細な説明】
【技術分野】
【０００１】
本発明は簡易防水型筐体に関し、特に側壁の突き合わせ部からの内部への浸水を底板の水抜き穴に誘導する浸水防止板を有する簡易防水型筐体に関する。
【背景技術】
【０００２】
従来、水分の付着を嫌う電子機器を有する無線通信機器などを屋外で使用し、あるいは屋外を移動させるときは防水構造を有する筐体に収納されていた。その筐体は雨水の浸入を防止するために筐体構成部品の合わせ部分にパッキンを使用しており、例えば特許文献１、あるいは特許文献２に記載のように構成部品の端面にはパッキンをはめ込む溝を形成する必要があった。
【特許文献１】実開平５−３１２８０号公報
【特許文献２】特開平８−３４４６７号公報
【発明の開示】
【発明が解決しようとする課題】
【０００３】
上述のように、屋外で使用される装置の筐体構造は、筐体構成部品の合わせ部分からの装置内へ雨水が浸入するのを防止するために、部品合わせ部分にははゴム等の軟質部材から成る防水パッキンが装着されており、装置外形への影響を極力抑えたいことから筐体構成部品の合わせ部の端面に溝部を形成し、その溝に防水パッキンをはめ込んで筐体構成部品を押さえ込むことによって雨水の浸入を防止する構造となっている。そのため筐体構成部品の形状および部品構成は複雑となり、樹脂成形用またはダイカスト成形用の金型を使用して成形を行う必要があった。そのために小ロット生産が多いこのような筐体では、成形用金型のコストの償却および製造時間の長期化が大きな課題となっていた。
【０００４】
また、これらを改善するために板金により筐体部品を形成しようとすると板金加工が複雑化するとともに、この場合も成形金型を使用して防水パッキンを製作する必要があり、そのコストの課題があった。
【０００５】
本発明の目的は、成形のための金型や複雑な板金加工の必要がなく、低いコストと短い時間で製作できる簡易防水型筐体を提供することにある。
【課題を解決するための手段】
【０００６】
本発明の簡易防水型筐体は、
側壁を形成する側板間の突き合わせ部分からの浸水による内部機器への影響を防止する構造を有する簡易防水型筐体であって、その筐体は、コ形の２枚の前記側板が接合されて形成された側壁とその側壁に周囲が接合された底板とから構成される収納部およびその収納部を覆う開閉可能な蓋部を有し、蓋部は天板とその天板に連続していて閉鎖時に側壁の外面に対向する側縁部とを有し、２枚の側板の突き合わせ部の内側には、両端部がそれぞれ２枚の側板に接合され中央に排水溝が形成された浸水防止板が突き合わせ部を囲んで設けられ、底板の排水溝に対向する部分には水抜き穴が設けられている。
【０００７】
２枚の側板はスポット溶接により接合されていてもよく、２枚の側板と底板もスポット溶接により接合されていてもよい。浸水防止板は、側縁から左右への張り出し部を有するコ形の形状をなし、張り出し部が側板にスポット溶接されていてもよい。内部機器は電子機器を有する通信機器であってもよく、内部機器は筐体から取り外し可能であってもよい。
【０００８】
完全な防水構造を求めないで浸入した水を集めて底板の水抜き穴から排出する構造としたので、複雑な成形工程を必要とせず、簡略な形状の板材のスポット溶接による接合で筐体が形成でき、コストと製作時間の低減が可能となる。
【発明の効果】
【０００９】
本発明は、簡易防水型筐体を低コストで提供できるという効果がある。それは、接合部より侵入した水を内容物に接触させることなく排出できる構造としたことにより、単純な形状の板金構造とスポット溶接によって簡易防水型筐体を製作したからであり、高コストの要因となる成形金型を必要とせず、高い技術を必要とする線溶接部分が少なくなったことにより工数の削減も図れたことによる。
【発明を実施するための最良の形態】
【００１０】
次に、本発明の実施の形態について図面を参照して説明する。図１は本発明の適用される実施の形態の簡易防水型筐体の部分断面斜視図、図２は図１の簡易防水型筐体の側面図、図３は図１の簡易防水型筐体の水平断面上面図である。
【００１１】
本発明の適用される簡易防水型筐体１は、左右に分割された第１の側板２１、第２の側板２２と底板と２４で構成された収納部２０、および開閉可能な蓋部１０を備え、第１の側板２１と第２の側板２２の両側の突き合わせ部２３の内側に構成された第１の浸水防止板３１、第２の浸水防止板３２により排水溝３３を形成し、突き合わせ部２３から排水溝３３内への浸水を底板２３に設けられた第１の水抜き穴３４、第２の水抜き穴３５（不図示）により外部に排出することを特徴とする。収納部２０の内部には例えば電子機器を有する通信機器などの内部機器４０が出し入れ可能に収納される。内部機器４０はこれに限定されるものではなく濡れを嫌う機器に簡易防水型筐体１は広く適用できる。
【００１２】
上述の構成の簡易防水型筐体１は、断面が凹形状をなし天板１１と連続する側縁部１２の四隅の合わせ部１３が密着された蓋部１０と、第１の側板２１と第２の側板２２、および側板の突き合わせ部２３の内部に設けられた第１の浸水防止板３１、第２の浸水防止板３２によって収納部２０の内部に格納した内部機器４０への雨水の浸入を防止することができる。
【００１３】
小ロット生産製品に適用した場合には高いコストの負担となる成形金型を必要とせず、板材の簡単な曲げ加工と、余り熟練度を必要とせず加工工数の少ないスポット溶接とによって装置の筐体の防水構造が得られることにより、低コストな簡易防水型筐体が提供できる。
【００１４】
簡易防水型筐体１の構成と組立て方法をさらに詳細に説明する。本発明の簡易防水型筐体１は収納部２０と収納部２０の開口部を覆う蓋部１０とから構成される。収納部２０では、断面がコ形状の第１の側板２１、第２の側板２２の２枚の側板の両側の先端を互いに突き合わせて、突き合わせ部２３をスポット溶接で固定して側壁を形成する。２箇所の突き合わせ部２３の内側に、突き合わせ部２３を挟むように、両側にフランジを有する凸型の第１の浸水防止板３１、第２の浸水防止板３２を取り付けてフランジ部を第１の側板２１、第２の側板２２の内面にスポット溶接で固定することにより、第１の浸水防止板３１、第２の浸水防止板３２の内部に排水溝３３が形成される。第１の側板２１、第２の側板２２で形成された側壁の下側の開口部には、排水溝３３の下側に当る部分に開口が設けられた底板２３をスポット溶接で接合する。この開口は第１の水抜き穴３４、第２の水抜き穴３５（不図示）となる。開口は底板２３に設けられた切欠きでもよい。また、側壁と底板２３との接合はここではスポット溶接としているが、第１の側板２１、第２の側板２２の下側の側壁開口部となる所の内側にねじ穴を有するＬ字形状の底板固定板をねじ穴部が下側になるようにスポット溶接し、ねじ穴と対応する位置に穴の設けられた底板２３を開口部に嵌めこみ下側からねじで固定してもよい。
【００１５】
第１の側板２１と第２の側板２２との突き合わせ部２３は部分的にスポット溶接で固定されているので、第１の側板２１と第２の側板２２とは密着されていない可能性があるが、空隙からの浸水は排水溝３３を経由して底板２３の方向に流れて底板２３に設けられた第１の水抜き穴３４、第２の水抜き穴３５を経由して外部に排出されるので、収納部２０に格納された内部機器４０に影響を及ぼすことはない。
【００１６】
１枚の平板に切れ目を入れて所定の長さで折り曲げることで天板１１と４個の側縁部１２からなる蓋部１０が形成され、それぞれの側縁部１２の合わせ部１３は溶接等により隙間がないように接合され、蓋部１０が収納部２０の開口部を覆ったり開放したりできるように、長手の側縁部１２の先端を第１の側板２１の側面に設けたヒンジ１４で回転可能に保持する。側縁部１２の所定の高さは横方向からの風雨が蓋部１０が閉じられた状態で収納部２０の側面を乗り越えない高さとする。
【００１７】
こうして構成された簡易防水型筐体１の内部に濡れを嫌う内部機器４０を収納する。図１には例として通信機器を格納した状態を図示しているが、操作部４１が蓋部１０側になるように格納すれば雨天でも蓋部１０を少し開くことで操作部４１の操作を行うことができる。
【００１８】
上述の構成の簡易防水型筐体１では、屋外で使用する際に内部に格納した内部機器４０に影響を及ぼす雨水に対し、内部装置４０の上部からの雨水に対しては、断面が凹形状をなし四隅の合わせ部１３を隙間がないように形成した蓋部１０を閉じることにより内部装置４０の内部への雨水の浸入が防止される。また、側面からの雨水に対しては蓋部１０を閉じた際第１の側板２１、第２の側板２２の突き合わせ部２３の上側は、蓋部１０の側縁部１２がオーバラップする形状となって浸入が防止され、側縁部１２で防止されないで突き合わせ部２３の部分的な隙間から侵入する雨水は、突き合わせ部２３の内側に設けられた第１の浸水防止板３１、第２の浸水防止板３２の排水溝３３を伝って底板２３側に誘導され、底板２３に設けられた第１の水抜き穴３４、第２の水抜き穴３５から簡易防水型筐体１の外部に排出される。第１の側板２１、第２の側板２２と底板２４もスポット溶接で接合された場合は条件によって雨水が接合部の隙間から内部に侵入することがあるが、底板２４には水抜き穴３４が設けられているので外部に排出される。
【００１９】
内部機器４０の操作部４１が蓋部１０の天板１１に面して設けられている場合は、蓋部１０を少し開くことで内部機器４０を濡らさずに操作することもできる。内部機器４０は屋外で使用するときや屋外を移動するときに簡易防水型筐体１に格納されてもよいが、常時簡易防水型筐体１内に格納された状態で使用されてもよく、筐体内に固定されていてもよく、その場合は収納部２０の側壁内部にＬ字形状をなしねじ穴を有する操作部固定板をスポット溶接で取り付け、操作部４１をねじ止め固定してもよい。
【図面の簡単な説明】
【００２０】
【図１】本発明の適用される実施の形態の簡易防水型筐体の部分断面斜視図である。
【図２】図１の簡易防水型筐体の側面図である。
【図３】図１の簡易防水型筐体の水平断面上面図である。
【符号の説明】
【００２１】
１    簡易防水型筐体
１０    蓋部
１１    天板
１２    側縁部
１３    合わせ部
１４    ヒンジ
２０    収納部
２１    第１の側板
２２    第２の側板
２３    突き合わせ部
２４    底板
３１    第１の浸水防止板
３２    第２の浸水防止板
３３    排水溝
３４    第１の水抜き穴
３５    第２の水抜き穴
４０    内部機器
４１    操作部
【図１】
2007012989.tif 000003
【図２】
2007012989.tif 000004
【図３】
2007012989.tif 000005